【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
スリング送達システムであって、以下：
スリングアセンブリであって、該スリングアセンブリは、尿道プラットフォームを提供するための大きさおよび形状である移植可能スリング、ならびにそれぞれ第１のスリングアセンブリ端部および第２のスリングアセンブリ端部に配置される第１の拡張チューブおよび第２の拡張チューブを備える、スリングアセンブリ；および
第１のプッシュチューブであって、該第１のプッシュチューブが、該第１の拡張チューブ内にスライド可能に嵌合し、第１の端部、第２の端部および長手方向に延びる管腔を備える、第１のプッシュチューブ、
を備える、スリング送達システム。
【請求項２】
請求項１に記載のシステムであって、前記第２の拡張チューブ内にスライド可能に嵌合し、そして第１の端部、第２の端部および長手方向に延びる管腔を備える、第２プッシュチューブを備える、システム。
【請求項３】
請求項１に記載のシステムであって、前記長手方向に延びる管腔が、送達デバイスのシャフト上をスライド可能に嵌合する大きさおよび形状である、システム。
【請求項４】
請求項１に記載のシステムであって、前記第１のプッシュチューブが、前記第１の拡張チューブの端部に接し、該拡張チューブを通る第１のプッシュチューブの通過を妨害するための、第１の半径方向に延びるショルダーを備える、システム。
【請求項５】
請求項４に記載のシステムであって、前記第１のショルダーが、前記第１のプッシュチューブの端部に配置される、システム。
【請求項６】
請求項４に記載のシステムであって、前記第１のショルダーが、前記第１のプッシュチューブの第１の端部と第２の端部との間の中間に位置する、システム。
【請求項７】
請求項４に記載のシステムであって、前記第１のショルダーが、前記拡張チューブの内側端部に接し、そして前記第１のプッシュチューブが、第２の半径方向に延びるショルダーを備え、該第２の半径方向に延びるショルダーが、該第１の拡張チューブの外側端部に接し、そして該第１のプッシュチューブの第１のショルダーと第２のショルダーとの間に該拡張チューブを捕捉する、システム。
【請求項８】
請求項１に記載のシステムであって、前記スリングの第１の端部および第２の端部が、それぞれ、前記第１の拡張チューブおよび前記第２の拡張チューブに接続している、システム。
【請求項９】
請求項１に記載のシステムであって、前記スリングアセンブリが、前記スリングを少なくとも部分的に覆うためのスリーブを備える、システム。
【請求項１０】
請求項９に記載のシステムであって、前記スリーブの第１の端部および第２の端部が、それぞれ、前記第１の拡張チューブおよび前記第２の拡張チューブに接続している、システム。
【請求項１１】
請求項１に記載のシステムであって、前記第１のプッシュチューブが、第１の端部と第２の端部との間に、長手方向に延びる管腔を規定する壁の一部が除去されている中間セクションを備える、システム。
【請求項１２】
請求項１に記載のシステムであって、前記第１のプッシュチューブの長手方向に延びる管腔内に嵌合するための大きさおよび形状のシャフトを有する送達デバイスを備える、システム。
【請求項１３】
請求項２に記載のシステムであって、以下：
前記第１のプッシュチューブの長手方向に延びる管腔に嵌合するための大きさおよび形状のシャフトを有する、第１の送達デバイス；および
前記第２のプッシュチューブの長手方向に延びる管腔と嵌合するための大きさおよび形状のシャフトを有する、第２の送達デバイス、
を備える、システム。
【請求項１４】
尿失禁を処置するためのシステムであって、該システムが以下：
ａ）膣腔を介して患者の身体内に移植されるように構成された外科用スリング；
ｂ）送達デバイスであって、患者の膣壁を経腹部的に通して挿入するように構成されたシャフトを備える、送達デバイス；
ｃ）膣壁を通って延びる該シャフトの端部上にスライド可能に嵌合するように構成された、プッシュチューブ；
を備え、
ここで、該患者の身体内の尿道周囲組織に該スリングの一部を移植するように、該シャフトが、該患者から取り去られるように構成されている、システム。
【請求項１５】
請求項１４に記載のシステムであって、前記シャフトを取り去る前に、プッシュチューブが腹部切開部を通って延びるまで、該シャフトに沿って該プッシュチューブがスライドするように構成されている、システム。
【請求項１６】
請求項１５に記載のシステムであって、前記シャフトを取り去る前に、前記プッシュチューブが前記腹部切開部を通って延びている場合に、該プッシュチューブがつかまれるように構成されている、システム。
【請求項１７】
請求項１４に記載のシステムであって、以下：
前記膣壁を通って延びる該シャフトの端部上に、スライド可能に嵌合するように構成された、第２のプッシュチューブ
をさらに備え、
ここで、該患者の尿道周囲組織にスリングの第２の部分を移植するように、該シャフトが該患者から取り去られるように構成されている、システム。
【請求項１８】
請求項１７に記載のシステムであって、前記シャフトを取り去る前に前記第２のプッシュチューブが腹部切開部を通って延びるまで、該シャフトに沿って、該第２のプッシュチューブがスライドするように構成されている、システム。
【請求項１９】
請求項１８に記載のシステムであって、前記第２のプッシュチューブが前記シャフトを取り去る前に腹部切開部を通って延びている場合に、該第２のプッシュチューブがつかまれるように構成されている、システム。
【請求項２０】
尿失禁を処置するためのシステムであって、以下：
ａ）膣腔を介して患者の身体内に移植されるように構成された外科用スリング；
ｂ）送達デバイスのシャフトの端部上にスライド可能に嵌合するように構成されたプッシュチューブ、
を備え、
ここで、患者の膣壁を経膣的に通して、該シャフトが挿入されるように構成され；そして
該患者の身体内の尿道周囲組織に該スリングの一部分を移植するように、該シャフトが、該患者から取り去られるように構成されている、システム。
【請求項２１】
請求項２０に記載のシステムであって、前記シャフトを取り去る前に、プッシュチューブが腹部切開部を通って延びるまで、該シャフトに沿って該プッシュチューブがスライドするように構成されている、システム。
【請求項２２】
請求項２１に記載のシステムであって、前記シャフトを取り去る前に、前記プッシュチューブが前記腹部切開部を通って延びている場合に、該プッシュチューブがつかまれるように構成されている、システム。
【請求項２３】
請求項２０に記載のシステムであって、前記送達デバイスのプッシャー機構を用いて前記シャフトに沿って該プッシュチューブがスライドするように構成されている、システム。
【請求項２４】
請求項２０に記載のシステムであって、以下：
前記送達デバイスのシャフトの端部上に、スライド可能に嵌合するように構成された第２のプッシュチューブ、
を備え、
ここで、該患者の身体内の尿道周囲組織に該スリングの第２の部分を移植するように、該シャフトが、該患者から取り去られるように構成されている、システム。
【請求項２５】
請求項２４に記載のシステムであって、前記シャフトを取り去る前に、前記第２のプッシュチューブが腹部切開部を通って延びるまで、該シャフトに沿って、該第２のプッシュチューブがスライドするように構成されている、システム。
【請求項２６】
請求項２５に記載のシステムであって、前記第２のプッシュチューブが前記シャフトを取り去る前に腹部切開部を通って延びている場合に、該第２のプッシュチューブがつかまれるように構成されている、システム。
【請求項２７】
請求項２４に記載のシステムであって、前記送達デバイスのプッシャー機構を用いて前記シャフトに沿って該第２のプッシュチューブがスライドするように構成されている、システム。